(57)【特許請求の範囲】
【請求項１】
水平回転軸の軸心に沿う長手方向に正対して受風口を開口する風洞に水平回転軸を軸支し、該水平回転軸にその軸心に沿って複数個の受風翼を放射状に配設した水平翼体を外嵌結合して成る水平翼型風力装置において、前記受風口が水平回転軸の軸心を含む水平面より下部でその軸心に沿う長手方向に正対して開口され、前記水平回転軸はその長手方向中央に出力部が配設され、該出力部を挟んでその左右に前記水平翼体が配設され、左右の各水平翼体はそれぞれクラッチを介して水平回転軸にその回転力が伝達され、前記風洞はその左右外面に隣接して台座に立設された軸支板に、回動制御手段を介して所要回動範囲で該水平回転軸の周りに回動自在に軸支され、前記台座は支持台に鉛直軸を旋回中心とする旋回台軸受を介して旋回自在に軸支されて成る水平翼型風力装置。
【請求項２】
前記左右の各水平翼体は、その回転軸心方向で複数個の分割水平翼体に分割され、各分割水平翼体は所要角度の配列位相で、かつ左右対称に水平推力が相殺される姿勢で水平回転軸に配列されて成る請求項１記載の水平翼型風力装置。
【請求項３】
前記出力部が差動傘歯車機構から成る請求項１又は２記載の水平翼型風力装置。
【請求項４】
前記風洞の水平回転軸の軸心より上部の内周面に後方の排風側から開口された吸引通路を連通して成る請求項１乃至３のいずれかに記載の水平翼型風力装置。
【請求項５】
前記請求項１乃至４のいずれかに記載した水平翼型風力装置が複数列に動力伝達部の連結軸を介して直列に連設され、該動力伝達部の連結軸回動手段に一方向回転クラッチを内蔵し、最終連結軸が回転数変換部を介して発電機に連結されて成る風力発電装置。
【発明の詳細な説明】
【技術分野】
【０００１】  本発明は、水平回転軸の軸心に沿う長手方向に正対し、上下左右の風向きに追従可能にしてその軸心を含む水平面より下方に受風口を開口する風洞に、水平回転軸をクラッチを介して風力遮断伝達自在に軸支し、出力部を挟んで左右の水平回転軸に水平翼体を外嵌結介し、該出力部の垂直回転軸を動力伝達部に連係して成る、水平翼型風力装置とそれを用いた風力発電装置に関する。
【背景技術】
【０００２】  水平回転軸の軸心に沿う長手方向に正対して受風口を開口する風洞に、該水平回転軸を軸支するとともに、その外周に複数個（４枚）の水平受圧翼を配設し、水平受圧翼に対する相殺又は損失となる風流をガイドして渦巻き流に変更して風力エネルギーの損失を極力少なくしようとする技術が、実用新案登録第３１７２４９３号（特許文献１）に提案されているが、該特許文献１の技術は水平受圧翼が水平回転軸の長手方向に一体であるため、受風口から受ける風速に強弱があると、弱風側が強風側から得られる回転力の抵抗になり風力エネルギーの損失を生じる上、受風口が常に一定であるため、吹き下ろしや吹き上げの風向には正対できず、風力エネルギーを有効に回収できない欠点を有し、しかも、強風時には受風口の姿勢を変更できないから、その強風をまともに受け、水平受圧翼を破損する恐れがある、などの問題を内在するものである。
【先行技術文献】
【特許文献】
【０００３】
【特許文献１】実用新案登録第３１７２４９３号
【発明の概要】
【発明が解決しようとする課題】
【０００４】  本発明は、水平翼型風力装置において、上下左右の風向に追従し、また、水平回転軸の長手方向における風速のむらにも対応し、さらには、水平翼体の回転における脈動を発現することなく、風速のエネルギーを効率よく回転エネルギーに回収できる水平翼型風力装置と、該風力装置を用いた風力発電装置の提供をその目的とする。
【課題を解決するための手段】
【０００５】  本発明の請求項１記載の水平翼型風力装置は、水平回転軸の軸心に沿う長手方向に正対して受風口を開口する風洞に水平回転軸を軸支し、該水平回転軸にその軸心に沿って複数個の受風翼を放射状に配設した水平翼体を外嵌接合して成る水平翼型風力装置において、前記受風口が水平回転軸の軸心を含む水平面より下部でその軸心に沿う長手方向に正対して開口され、前記水平回転軸はその長手方向中央に出力部が配設され、該出力部を挟んでその左右に前記水平翼体が配設され、左右の各水平翼体はそれぞれクラッチを介して水平回転軸にその回転力が伝達され、前記風洞はその左右外面に隣接して台座に立設された軸支板に、回動制御手段を介して所要回動範囲で該水平回転軸の周りに回動自在に軸支され、前記台座は支持台に鉛直軸を旋回中心とする旋回台軸受を介して旋回自在に軸支されて成る。【０００６】  請求項２記載の発明は、請求項１記載の水平翼型風力装置において、前記左右の各水平翼体は、その回転軸心方向で複数個の分割水平翼体に分割され、各分割水平翼体は所要角度の配列位相で、かつ左右対称に水平推力が相殺される姿勢で水平回転軸に配列されて成る。【０００７】  請求項３記載の発明は、請求項１又は２記載の水平翼型風力装置において、前記出力部が差動傘歯車機構から成る。【０００８】  請求項４記載の発明は、請求項１乃至３のいずれかに記載の水平翼型風力装置において、前記風洞の水平回転軸の軸心より上部の内周面に後方の排風側から開口された吸引通路を連通して成る。【０００９】  請求項５記載の発明は、前記水平翼型風力装置が複数列に動力伝達部の連結軸を介して直列に連設され、該動力伝達部の連結軸回動手段に一方向回転クラッチを内蔵し、最終連結軸が回転数変換部を介して発電機に連結されて成る。
【発明の効果】
【００１０】  本発明は水平回転軸の長手方向中央に出力部を設けて大型化した場合の風力エネルギーの回収に際し、該水平回転軸の長手方向の左右で風速の強弱があっても、それぞれの風力による回転力が取り出せるように該出力部に差動傘歯車機構を内在するものであり、また、回動制御手段により、風洞を水平回転軸の周りに所要範囲で回動自在とし、受風口を吹き下ろし流や吹き上げ流に正対できるようにしつつ、強風下では強風を避けて受風口を変向できるものであり、しかも、クラッチにより水平回転軸に対し水平翼体を開放することにより、該水平翼体の破損を防止できるものである。【００１１】  さらに、水平翼体を水平回転軸の軸心に沿って所要に分割し、かつ、所要の位相差を以って該水平回転軸に受風翼を放射状に配列した場合は、一定配列に起こりがちな脈動がなくスムーズな回転で回転効率が向上する。【００１２】  このほか、出力部を挟んで左右の水平回転軸に分割水平翼体を所要の位相差を以って配列する水平翼体を外嵌接合する場合には、左右対称なリードで分割水平翼体が各水平回転軸に配列されるから左右からの水平推力が相殺されるものである。
【図面の簡単な説明】
【００１３】
【図１】本発明に係る水平翼型風力装置Ａの一部を縦断した正面図。
【図２】出力部３の説明図。
【図３】図１の右側面図。
【図４】図３のＡ−Ａ矢視図。
【図５】水平翼体２の要部説明図。
【図６】水平翼体２の分解正面図で、（ａ）は第１分割水平翼体２ａ、（ｂ）は第２分割水平翼体２ｂ、（ｃ）は第３分割水平翼体２ｃ、（ｄ）は第４分割水平翼体２ｄ、（ｅ）は第５分割水平翼体２ｅ、（ｆ）は第６分割水平翼体２ｆを示す。
【図７】本発明に係る風力発電装置Ｐの説明図。
【図８】本発明に係る水平翼型風力装置Ｂの正面図。
【図９】図８の一部を破断した右側面図。
【発明を実施するための形態】
【００１４】  出力部（差動傘歯車機構内蔵）を挟んでその左右で水平回転軸に配設される水平翼体は、分割水平翼体が一括されてクラッチを介して水平回転軸にその回転力を伝達するものから、それぞれが２分されてクラッチを介して水平回転軸に回転力を伝達するものなどである。
【００１５】  また、垂直尾翼（方位制御手段）を設けることにより、風洞は旋回台軸受によってその左右の風向に正対できるものである。この左右の風向に対してはオーバーラン防止として、ブレーキ機構を伴って対応することもできる。その場合のブレーキ機構とは、強風時に受風口を変向することにも利用され得るものである。
【００１６】  さらに、水平尾翼の風向感知手段による上下方向への風洞の回転制御手段とは、風洞の側板の内面に接合した大歯車に、軸受体の軸支板に設けたパルスモータで駆動されるピニオンを噛合するものから、風洞の側板の外面に接合したウォームギャーに、前記の軸支板に設けたパルスモータで駆動されるウォームを噛合するものなどであり、これらの回転制御手段は、風洞の片側又は両側に設けられる。
【００１７】  風洞は単に分割水平翼体を連結した水平翼体を回転自在に軸支案内するものから、吸引通路を形成し、吸引口を介して該水平翼体の回転時の負圧解消を図るものなどで提供される。
【実施例１】
【００１８】  本発明の水平翼型風力装置Ａを実施例により説明すると、その構成は図１に示すように、上部風案内体１ａと、下部風案内体１ｂと、左右の側板１ｃによって構成される風洞１と、その風洞１を上下左右の風向に追従させるため、図３に示す垂直尾翼１ｄａと、水平尾翼１ｄｂによって構成される風向感知手段１ｄにより成る受風部と、風洞１に収められる水平翼体２と、該水平翼体２が軸着され、その中央部に図２に示す差動傘歯車機構３ａを内蔵した出力部３を有し、両端が軸支板６ｂによって支えられる水平回転軸４と、該水平回転軸４に水平翼体２からの動力を遮断伝達自在に制御するクラッチとしての電磁クラッチ５と、前記軸支板６ｂと台座６ａからなる軸受体６と、前記出力部３からの動力を出力する垂直回転軸７と、前記軸受体６を鉛直軸の周りに旋回自在に軸支する旋回台軸受８と、該旋回台軸受８を取着する支持台９と、出力部３の支持手段であるとともに、垂直回転軸７を保護する円筒ケース７ａと、前記風向感知手段１ｄにより風洞１の上下方向の回動姿勢を制御する回動制御手段６ｅと、図外の動力伝達部とから成る。そして、垂直回転軸７に外嵌される円筒ケース７ａは、軸受体６の台座６ａと出力部３のボックス３ｂとの間に接合されて、該出力部３を軸受体６に位置決め支持する。【００１９】  前記風洞１に関して詳述すると、上部風案内体１ａの前後方向中央部の内面には水平翼体２の上部外周面に近接する円弧面１ａａを形成し、その前方に風上に向けてくさび状風案内面１ａｂを配設し、その後方に風除けひさし１ａｃを延出して成る。【００２０】  下部風案内体１ｂの前後方向中央部の内面には、水平翼体２の下部外周面に近接する円弧面１ｂａを形成し、その前方にゆるやかな昇り傾斜面を有する下部風案内面１ｂｂを配設し、その後方に排風案内座１ｂｃを形成しており、また、その中央部前部から後部にかけ、出力部３を位置決め支持して垂直回転軸７を保護する円筒ケース７ａを所要範囲に案内する切欠き溝１ｂｄを形成して成る。【００２１】  風洞１の回動制御手段６ｅは、風洞１の内部に設けられる回転手段の一部としての大歯車１ｅと、側板１ｃに設けられる風洞１の上下の回動範囲に見合う円弧溝１ｃａと、水平回転軸４を軸支する軸受６ｃが固着される軸支板６ｂに設けるパルスモータ６ｄと、前記大歯車１ｅと噛合し、パルスモータ６ｄのモータ軸に接合されるピニオン６ｄａとから成る。  上記の回動制御手段６ｅへの回動指令は、図３、図４に示すように水平尾翼１ｄｂの風向感知手段１ｄによってなされ、下向き風向の場合は、水平尾翼１ｄｂが垂直尾翼１ｄａに軸支されたピン１ｄｄを回動中心として右回動するから、水平尾翼１ｄｂと一体の作動子１ｄｅが上方へ押し上げられこれと一体の操作子１ｄｆが上スイッチ１ｄｇを押し込み、パルスモータ６ｄによって風洞１が右回転し受風口１ｆが上向きとなる。【００２２】  上向き風向の場合は、水平尾翼１ｄｂが上記要領でピン１ｄｄを回動中心として左回動し、作動子１ｄｅが下方へ押し下げられ、これと一体の操作子１ｄｆが下スイッチ１ｄｈを押し込み、パルスモータ６ｄによって風洞１が左回転し受風口１ｆが下向きとなる。【００２３】  次に、水平翼体２について説明する���、図５乃至図６に示すように、第１分割水平翼体２ａは円盤体２ｇと、該円盤体２ｇにその中心から外周に向けて放射状に一体に溶着等で接合される６枚の受風翼２ｈと、該円盤体２ｇをそのフランジ２ｉａに固定ネジ２ｉｂで接合し、外周に一対のキー溝２ｉｃが凹設される中空軸２ｉと、該中空軸２ｉにセットスクリュー２ｊａで回り止めされる軸受メタル２ｊとから成り、第２分割水平翼体２ｂ、第３分割水平翼体２ｃ、第４分割水平翼体２ｄ、第５分割水平翼体２ｅ、第６分割水平翼体２ｆは前記中空軸２ｉに外嵌され、該中空軸２ｉにキー２ｋで接合される一対のキー溝２ｋａが内設され、その外径と幅が中空軸２ｉに固着するフランジ２ｉａと同寸のボス２ｌと、該ボス２ｌに固定ネジ２ｌａで接合され、前記６枚の受風翼２ｈがそれぞれ第１分割水平翼体２ａの受風翼２ｈに比しそれぞれ所要の配設位相（本実施例では１５°）で配設される円盤体２ｇとから成る。  したがって、第２分割水平翼体２ｂから第６分割水平翼体２ｆのそれぞれがキー２ｋを介して中空軸２ｉに外嵌され、適宜に位置を決め固定される。【００２４】  そして、第１分割水平翼体２ａのフランジ２ｉａは電磁クラッチ５のアーマチュァハブ５ａにボルト５ａａで接合され、中空軸２ｉの軸受メタル２ｊに案内される水平回転軸４はキー５ｂａを介して電磁クラッチ５のロータ５ｂに接合される。【００２５】  ここで、第１分割水平翼体２ａから第６分割水平翼体２ｆにおける円盤体２ｇに設けられる各受風翼２ｈの配列位相について説明すると、各円盤体２ｇにおける６枚の受風翼２ｈは６０°の配列位相で整列され、第２分割水平翼体２ｂ乃至第６分割水平翼体２ｆにおけるボス２ｌの内周に凹設される一対のキー溝２ｋａが、第１分割水平翼体２ａが固着される中空軸２ｉの一対のキー溝２ｉｃに対してそれぞれ１５°、３０°、４５°、６０°、７５°の位相差で順次配設されるから、第１分割水平翼体２ａの中空軸２ｉに第２分割水平翼体２ｂから第６分割水平翼体２ｆまでの各ボス２ｌをキー２ｋで接合したときは、各円盤体２ｇに接合される各受風翼２ｈは相互に１５°の配列位相で配列される。  したがって、受風時の水平回転軸４の回転が滑らかとなる。【００２６】  このようにして成る水平翼体２は、出力部３を挟んで左右に配設されるものであるから、該出力部３に不要な推力が作用しないように、左方側の水平翼体２では、左端に第１分割水平翼体２ａを配設して電磁クラッチ５に連接し、順次中空軸２ｉに第２分割水平翼体２ｂから第６分割水平翼体２ｆまで右方側に対称の姿勢で設けるものである。【００２７】  さらに、第１分割水平翼体２ａから第６分割水平翼体２ｆに渡る先端部の接合について説明すると、第１分割水平翼体２ａと第２分割水平翼体２ｂ、第３分割水平翼体２ｃと第４分割水平翼体２ｄ及び第５分割水平翼体２ｅと第６分割水平翼体２ｆはそれぞれ接合孔ａ、ａにおいてボルト２ｇａとナット２ｇｂで接合され、第２分割水平翼体２ｂと第３分割水平翼体２ｃ及び第４分割水平翼体２ｄと第５分割水平翼体２ｅはそれぞれ接合孔ｂ、ｂにおいてボルト２ｇａとナット２ｇｂで接合される。【００２８】  なお、受風翼２ｈの形状は、風向きに対して凹状となる凹湾曲面２ｈａと、該凹湾曲面���ｈａの突端で風向きに対して凸状となる凸湾曲面２ｈｂとで形成される。  このように、上記受風翼２ｈの突端を凸状となる凸湾曲面２ｈｂに形成することにより、受風翼２ｈへの風力が、該受風翼２ｈの先端を下に押し下げる作用をし、したがって、受風時の水平回転軸４の回転が滑らかとなる。【００２９】  ここで、本発明の水平翼型風力装置Ａを用いた風力発電装置Ｐについて説明すると、その構成は図７に示すように、水平回転軸４に軸着された水平翼体２を収めた風洞１と、出力部３と、軸受体６と、垂直回転軸７と、該垂直回転軸７を内蔵・保護し、かつ出力部３を位置決め支持する円筒ケース７ａと、支持台９と、軸受体６と支持台９とを旋回自在に接合する旋回台軸受８と、風向感知手段１ｄと、回動制御手段６ｅと、動力伝達部１０とから成る前述の水平翼型風力装置Ａが複数個所に渡って直列に連接され、各動力伝達部１０は相互に連結軸１０ｃによって適宜なカップリング（図外）を介して連結される。  そして、最終の連結軸１０ｃが回転数変換部（図外）を介して発電機Ｇに連結される。【００３０】  また、動力伝達部１０は、垂直回転軸７に接合され、その動力が伝達される連結軸回動手段としての傘歯車１０ａと、該傘歯車１０ａに噛合する一方向回転クラッチ１０ｂａを内蔵する傘歯車１０ｂにより構成される。【００３１】  このようにして成る水平翼型風力装置Ａによって得られた風力エネルギーは、各出力部３から差動傘歯車機構３ａを介して垂直回転軸７に出力され、さらに該垂直回転軸７から各動力伝達部１０に入力され、該垂直回転軸７に接合する傘歯車１０ａからこれと噛合する他方の傘歯車１０ｂに内蔵する一方向回転クラッチ１０ｂａを介して連結軸１０ｃに伝達され、その先の図外の回転数変換部を介して発電機Ｇを駆動し、電力に変換される。  なお、風力発電装置Ｐは各動力伝達部１０の動力出力状態が区々であっても、一方向回転クラッチ１０ｂａによってそれぞれの連結軸１０ｃは拘束されることなく、状況に応じた動力を発電機Ｇに供給できる。
【実施例２】
【００３２】  本発明の他の実施態様としての水平翼型風力装置Ｂは、図８、図９に示すように、基本構成すなわち、風洞１と、風洞１に回転自在に軸支される水平翼体２と、風洞１を回動制御手段６ｅを介して所要回動範囲で軸支する、台座６ａと軸支板６ｂと軸受６ｃにより構成される軸受体６と、軸受体６を旋回台軸受８を介して鉛直軸の周りに軸支する支持台９と、支持台９に内蔵される動力伝達部１０とから成る構成は、前記の水平翼型風力装置Ａと同様であるが、本実施例での風洞１には、負圧解消手段として、上部風案内体１ａの水平翼体２の上部に近接する円弧面１ａａに沿って、風除けひさし１ａｃの下面から吸引通路１ａｄを吸引口１ａｅを介して前記円弧面１ａａに連通して成り、また、風洞１に収められる水平翼体２は出力部３を挟んで左右それぞれの第３分割水平翼体２ｃと第４分割水平翼体２ｄとの間にクラッチ５ｃが配設されたものであり、加えて水平尾翼１ｄｂの前記風向感知手段１ｄにより指令されて風洞１の受風口１ｆを風向に正対させる回動制御手段６ｅは、風洞１の側板１ｃの外面に接合したウォームギヤ１ｅａと、軸受体６の軸支板６ｂに接合されるパルスモータ６ｄに駆動され、該ウォームギヤ１ｅａに噛合されるウォーム６ｄｂとから成るものである。  そして、回動制御手段６ｅへの回動指令は、実施例１で示した風向感知手段１ｄの要素によってなされる。【００３３】  したがって、風向に正対する風洞１の内部で出力部３を挟んで回転する左右の水平翼体２は、それぞれクラッチ５ｃを介してきめ細かに強風対策や軸強度の保全が図られる上、風力エネルギーを滑らかな軸回転に変換し、周回方向の脈動を発現させることなく、出力部３の垂直回転軸７を介して動力伝達部１０に入力し、前記の風力発電装置Ｐに利用されたり、単独で図外の回転数変換部を介して発電機Ｇを駆動するなどである。【００３４】  この場合の水平翼型風力装置Ｂは、受風翼２ｈに受けられて水平回転軸４を滑らかに回転させた後の排風が巻き込まれて圧縮状態の回転抵抗とならぬように、負圧解消手段により、吸引通路１ａｄから取り込まれた空気が吸引口１ａｅより左右の水平翼体２の外周面に流入し、負圧を解消して動力効率の向上が図られる。  なお、前記の吸引通路１ａｄと吸引口１ａｅから成る負圧解消手段が、実施例１で示した水平翼型風力装置Ａにおいても適用されることは、云うまでもなく当然のことである。【００３５】  さらに、本発明における水平翼体２は、複数個に分割された分割水平翼体から成るため、受風翼２ｈの背丈を含む形状や個数の変更が簡易である上、配列のリード（配列位相）はボス２ｌにおけるキー溝２ｉｃの位置でその態様の自由度が広範となり、併せて製作コストも受風翼２ｈの一体型に比して安価になるなどの特徴を呈する。
【産業上の利用可能性】
【００３６】  本発明の水平翼型風力装置は、水平回転軸の軸心に沿い長手方向に正対する上下左右の風向きに追従可能な受風口を設けることにより、受風面積に比し風エネルギーの回収を高効率化することができ、よって小型・高性能な風力エネルギーの回収装置が可能となり、該装置を、動力伝達部を介して複数連結することにより、狭小な場所で高出力の風力発電装置を実現できる上、水力発電装置にも転用できることから、本発明の需要は大いに期待できる。
【符号の説明】
【００３７】１    ：風洞１ａ  ：上部風案内体１ａａ：円弧面１ａｂ：くさび状風案内面１ａｃ：風除けひさし１ａｄ：吸引通路（負圧解消）１ａｅ：吸引口１ｂ  ：下部風案内体１ｂａ：円弧面１ｂｂ：下部風案内面１ｂｃ：排風案内座１ｂｄ：切欠き溝（円筒ケース案内用）１ｃ  ：側板１ｃａ：円弧溝（ピニオン案内用）１ｄ  ：風向感知手段１ｄａ：垂直尾翼１ｄｂ：水平尾翼１ｄｃ：軸受１ｄｄ：ピン１ｄｅ：作動子１ｄｆ：操作子１ｄｇ：上スイッチ１ｄｈ：下スイッチ１ｄｉ：案内棒１ｅ  ：大歯車１ｅａ：ウオームギヤ１ｆ  ：受風口２    ：水平翼体２ａ  ：第１分割水平翼体２ｂ  ：第２分割水平翼体２ｃ  ：第３分割水平翼体２ｄ  ：第４分割水平翼体２ｅ  ：第５分割水平翼体２ｆ  ：第６分割水平翼体２ｇ  ：円盤体２ｇａ：ボルト２ｇｂ：ナット２ｈ  ：受風翼２ｈａ：凹湾曲面２ｈｂ：凸湾曲面２ｉ  ：中空軸２ｉａ：フランジ２ｉｂ：固定ネジ２ｉｃ：キー溝２ｊ  ：軸受メタル２ｊａ：セットスクリュー２ｋ  ：キー２ｋａ：キー溝２ｌ  ：ボス２ｌａ：固定ネジ３    ：出力部３ａ  ：差動傘歯車機構３ｂ  ：ボックス４    ：水平回転軸５    ：電磁クラッチ５ａ  ：アーマチュアハブ５ａａ：ボルト５ｂ  ：ロータ５ｂａ：キー５ｃ  ：クラッチ６    ：軸受体６ａ  ：台座６ｂ  ：軸支板６ｃ  ：軸受６ｄ  ：パルスモータ６ｄａ：ピニオン６ｄｂ：ウォーム６ｄｃ：軸受（ウォーム軸と共にその軸端に軸着される傘歯車を軸支するもの）６ｅ  ：回動制御手段７    ：垂直回転軸７ａ  ：円筒ケース８    ：旋回台軸受９    ：支持台１０  ：動力伝達部１０ａ：傘歯車１０ｂ：傘歯車１０ｂａ：一方向回転クラッチ１０ｃ  ：連結軸ａ、ｂ  ：接合孔Ｇ      ：発電機Ａ、Ｂ  ：水平翼型風力装置Ｐ      ：風力発電装置
【要約】      （修正有）【課題】上下左右の風向に追従し、風速のむらにも対応し、さらに、水平翼体の回転の脈動もなく、風力を効率よく回転エネルギーに回収できる水平翼型風力装置と、該風力装置を用いた風力発電装置を提供する。【解決手段】複数の分割水平翼体からなる水平翼体２と水平回転軸４が、クラッチ５を介して風洞１に軸支され、その中央に出力部３が連接され、出力部３の垂直回転軸７が支持台９の動力伝達部に連係される。水平尾翼の風向感知手段の指令により回動制御手段６ｅで風洞１は軸受体６に回動自在に軸支され、旋回台軸受８を介して支持台９に旋回自在に軸支される。風洞１の受風口は水平回転軸４の軸心を含む水平面より下部に開口される。風洞１の内周面に吸引通路が連通される。また、水平翼型風力装置が動力伝達部の連結軸を介して複数個所に渡って直列に連結され、最終連結軸が回転数変換部を介して発電機に連結される。【選択図】図１【図１】
0005451926.tif 000002
【図２】
0005451926.tif 000003
【図３】
0005451926.tif 000004
【図４】
0005451926.tif 000005
【図５】
0005451926.tif 000006
【図６】
0005451926.tif 000007
【図７】
0005451926.tif 000008
【図８】
0005451926.tif 000009
【図９】
0005451926.tif 000010